(57)【要約】【課題】  扉と同数のプレートを有する従来のロッカーは、プレートの長手方向がロッカーの正面に直交し、その巾方向の長さが扉の巾より短いから、着替え時にロッカーに正対した姿勢で前記プレートに両足を乗せることができなく、使い勝手が悪いという問題がある。【解決手段】  前面に開閉自在な扉10が設けられ、内部に物を収納するロッカー本体２と、このロッカー本体２の下端部に設けられ、ロッカー本体２の底板７を載地面から浮かせる支持部と、前記扉10下方の支持部に形成され、横に長い、扉と同数の切欠き11と、この切欠き11から前記底板７の下方に出し入れ自在に収納され、引き出し時には切欠き11からロッカー本体2の輪郭外に出せるプレート20とで構成した。これにより、長手方向をロッカー本体2の正面と平行に、プレート20の向きを変えることができるから、ロッカーの正面に正対した姿勢で、両足をプレート20に乗せることができる。【選択図】    図１
2007252472.tif 000002
【特許請求の範囲】
【請求項１】
前面に開閉自在な扉が設けられ、内部に物を収納するロッカー本体と、このロッカー本体の下端部に設けられ、ロッカー本体の底板を載地面から浮かせる支持部と、前記扉下方の支持部に形成され、横に長い、扉と同数の切欠きと、この切欠きから前記底板の下方に出し入れ自在に収納され、引き出し時には切欠きからロッカー本体の輪郭外に出せるプレートとからなることを特徴とするロッカー。
【請求項２】
前記支持部の前面に、前記プレートを押し込むときに先端側の両側端が摺接して、プレートを切欠きに導くガイドが設けられていることを特徴とする請求項１記載のロッカー。
【請求項３】
前記プレートは、抗菌加工が施されていることを特徴とする請求項１ないし２記載のロッカー。
【発明の詳細な説明】
【技術分野】
【０００１】
本発明は、会社の更衣室等に置かれ、衣服や小物等を収納するロッカーに関する。
【背景技術】
【０００２】
ロッカーは更衣室等に置かれており、私服や仕事着に着替えたとき、扉を開閉して内部部に、脱いだ衣服を収納でき便利である。ところで、更衣室の床は道路やトイレを歩いた履物で歩かれているため、汚れており、不衛生である。上着の着替えは履物を履いたまま行うことができるが、ズボンやスカート（以下、単にズボンという）を履き替えるときにはロッカーが置かれた扉前方の床（以下、単に着替えスペースという）で履物を脱いで立ち、着替えを行うので足が汚れたりして、不衛生である。このため、着替えスペースにすのこ等を置き、これらに履物を脱いだ足を乗せ、床に触れないようにしていた。
【発明の開示】
【発明が解決しようとする課題】
【０００３】
しかしながら、着替えスペースにすのこを配置すると、更衣室を清掃するときには、すのこが邪魔になり、床掃除がしにくいという問題がある。また更衣室の形状及び広さ、そこに配置されるロッカーの数により、着替えスペースの形状がまちまちとなる。このため、着替えスペースに置かれるすのこのサイズは、更衣室毎に異なる場合が多く、すのこは既製ではなく、特注ものとなりコストがかかるという問題も派生する。これらの問題を解決するために、
【０００４】
実開昭５０−３１０２３号公報記載のロッカーでは、扉の下方に扉と同等巾の足場板を引き出し自在に、かつ足場板にロッカーから抜け出しを防止するストッパを設け、ズボンを履き替えるときに、引き出した足場板に履物を脱いだ足を乗せるようにしている。しかしながら、着替えするときには、収納された衣服を取り出したり、また脱いだ衣服を収納したりするため、ロッカーの正面に正対して立つのが常である。そして、引き出された足場板は長手方向がロッカーの正面に直交し、また巾方向の長さが扉の巾であるから、両足を前記足場板に乗せることができなく、使い勝手が悪いという問題がある。この問題を解決するために、
【０００５】
特開平１４−６５３７２号公報記載のロッカーでは、二人用以上で使用するロッカーにおいて、足置き本体の数を扉の数より少なくして、足置き本体の巾を扉の巾より長くし、ロッカーの正面に正対して、履物を脱いだ両足を足置き本体に乗せられるようにしている。しかしながら、足置き本体を引き出してズボンの履き替えているときに、隣の人が来て上着だけを着替える場合には、隣の人も履物を脱ぐ羽目になり面倒である。また着替えを終わった後、足置き本体を押し込むのはズボンを履き替えた人の役目だとすると、隣の人が着替えを終わるまで、その場を離れられないという問題がある。更に隣の人が履物を脱がずに着替えを行うには、引き出された足置き本体が邪魔になるという問題がある。また足置き本体の数が扉の数より少ないので、前記足置き本体は常に共用となり、これを介して水虫が感染するという衛生上の問題がある。
【特許文献１】実開昭５０−３１０２３号公報
【特許文献２】特開平１４−６５３７２号公報
【課題を解決するための手段】
【０００６】
上記課題を解決するために、請求項１記載の発明では、前面に開閉自在な扉が設けられ、内部に物を収納するロッカー本体と、このロッカー本体の下端部に設けられ、ロッカー本体の底板を載地面から浮かせる支持部と、前記扉下方の支持部に形成され、横に長い、扉と同数の切欠きと、この切欠きから前記底板の下方に出し入れ自在に収納され、引き出し時には切欠きからロッカー本体の輪郭外に出せるプレートとで構成した。
【０００７】
また請求項２記載の発明では、前記支持部の前面に、前記プレートを押し込むときに先端側の両側端が摺接して、プレートを切欠きに導くガイドを設けたものである。更にまた請求項３記載の発明では、前記プレートに、抗菌加工を施している。
【発明の効果】
【０００８】
請求項１記載のロッカーによれば、扉下方のロッカー本体前面に形成された切欠きと、この切欠きから出し入れ自在に収納され、引き出し時にはロッカー本体の輪郭外に出せるプレートとからなる簡単な構成にしたから、安価なロッカーを提供することができる。またプレートはロッカー本体の輪郭外に完全に引き出せるようにしたので、長手方向がロッカーの前面に平行になるように、プレートの向きを変えることができるから、ロッカーの正面に正対した姿勢で、履物を脱いだ両足を乗せることができ、ズボンの履き替えを容易に行うことができる。そして、プレートは任意の位置に置くことができ、そのサイズも大きくせずに済むので、他の人が着替えるのに邪魔になることがない。更にまた、プレートに両足を乗せた姿勢がロッカーの正面に正対しているので、脱いだズボンやこれから履くズボンの出し入れも簡単に行うことができる。履き替えが終わり、履物を履いた後、プレートを切欠きから押し込むことで、これをロッカー本体の輪郭内に収納することができるので、着替えスペースを歩くときも、着替えスペースの床清掃するときにも、プレートが邪魔になることがない。
【０００９】
また請求項２記載のロッカーによれば、プレートを切欠きから底板の下方に押し込むときに、プレートの先端がガイドに摺接して切欠きに導かれるから、プレートの押し込みを簡単に行うことができる。更にまた請求項３記載のロッカーによれば、プレートの表面に抗菌加工したから、足に付着した雑菌や、空中に浮遊している雑菌がプレート表面で繁殖するのを抑え込むことができるので、汗等が腐敗して悪臭が発生するのを防止することができる。また他人がプレートを使用しても、これを介して、雑菌が感染するのを防止することができる。
【発明を実施するための最良の形態】
【００１０】
以下、本発明の実施の形態を図１から図７に基づいて説明する。
【実施例１】
【００１１】
図１は本発明の第１実施例を示す。ロッカー本体２は、矩形の天板３と、一対の側板４，５と、後板６と、図中一点鎖線で示す底板７と、前記一対の側板の上，下端部に固着され、横方向の桟としての上下一対の前面パネル８，９、及び前面パネル８，９に開閉自在に軸着された扉10とからなり、その内部に衣服や履物等を収納することができる。前記天板３の外周は、一対の側板４，５と、後板６、及び前面パネル８の各上端部が、また前面パネル８の両端部と側板４，５がそれぞれ固着されている。前記底板７は前端部が前面パネル９の上端部に、また他の外周は側板４，５、及び後板６の内面にそれぞれ固着されている。この実施例では、前記一対の側板４，５の下端部、及び後板６の下端部と、前面パネル８とが支持部を構成しており、前記底板７を載地面、例えば床から浮かせている。なお、前記一対の側板４，５と後板６は、１枚の金属板をコの字型に折り曲げて、一体に形成してもよい。
【００１２】
前記前面パネル９には図２に示すように、下端部に横長な矩形の切欠き11が形成されている。この切欠き11は図３に示すように、前面パネル９の中央に下端から垂直の切り込み12を形成し、更にこの切り込み12の上端から前記前面パネル9の下端と平行な切り込み13を左右に形成した後，中央から押し込んで作製している。この押し込まれた折り返し部は２段に折り曲げられ、ガイド板14となる。このガイド板14は奥に向かって巾が狭まる誘導面15とこれに連なる規制面16とからなる。本実施例では、切欠き11を上述したように形成したが、前面パネル９の下端から切り欠いて形成してもよい。なお、このプレート20の前後方向の長さをロッカー本体2の奥行きと同じもしくは若干長くすると、押し込んだときに把手21が切欠き11より内側に入りこむことがない。
【００１３】
前記底板７の下方には、切欠き11から出し入れされるプレート20が図４に示すように収納されている。このプレート20は抗菌剤、例えば銀、銅の金属をイオン化させた状態で、担体にイオン交換または担持させたものが混練されたプラスチックで成形され、その前面に、把手21が形成されている。なお、この実施例では、プレートを引き出すために、把手21を形成したが、図５に示すようにプレート22の前端部に矩形の透孔23を形成してもよい。また図６に示すように、プレートの上面に抗菌加工をした布製のマット24を、４隅でビス止めし、このマット24を交換可能に固定してもよい。なお、この実施例ではプレートの主たる材質をプラスチックにしたが、合成ゴムであってもよい。
【００１４】
このように構成された本発明のロッカーでは、図４に示すようにプレート20は、底板７の下方に収納され、把手21が切欠き11から若干突出している。この状態から把手21を掴み，手前に引くと、図１に示すようにプレート20が完全に露出する。この後、把手21を掴んでプレート20を90度、反時計方向に回転すると、プレート20は図７に示すようにロッカー本体２の前方に対峙する。これにより、ズボンの履き替え時に、履物を脱いだ両足をプレート20に乗せることができる。ズボンを履き替えて履物を履いた後、把手21を掴み、プレート20を切欠き11から押し込むと、プレート20はその先端が誘導面15を摺動して、一対の規制面16間に導かれ、ロッカー本体２の輪郭内にその大部分が収納される。
【実施例２】
【００１５】
図８は本発明の第２実施例を示す。この実施例は、４人用のロッカーを示しており、ロッカー本体30の前面には４個の扉10が開閉自在に取り付けられている。内部は各扉10の間に位置する間仕切（図示せず）で４個の空間に仕切られている。４個の扉10の下方には前面パネル31が両端部を介して側板４，５に、また上端部が底板32にそれぞれ固着されている。この前面パネル31には、各扉10に対応して、４個の切欠き11がそれぞれ形成されている。これら切欠き11からロッカー本体30の下方に、プレート20がそれぞれ挿入されている。
【００１６】
このように構成されたロッカーでは、それぞれの扉を使用する各自が専用のプレート20を使用することができる。また、新調したズボンでその裾を汚したくない場合には、隣のプレート20を借用して、図９に示すように２個のプレート20を寄せ合わせて、足を乗せる面積を大きくして使用することができる。このような使用方法を用いても、プレート20を抗菌加工をしているので、衛生上の問題が生じることがない。
【図面の簡単な説明】
【００１７】
【図１】本発明を実施したロッカーの第１実施例で、プレートを引き出した状態を示す斜視図である。
【図２】本発明のロッカーの前面パネルを拡大して示す斜視図である。
【図３】図２に示す前面パネルの説明図である。
【図４】本発明を実施したロッカーの第１実施例で、プレートを収納した状態を示す斜視図である。
【図５】プレートの第１変形例を示す斜視図である。
【図６】プレートの第１変形例を示す斜視図である。
【図７】図１のプレートを90度回転した使用位置を示す斜視図である。
【図８】本発明を実施したロッカーの第２実施例を示す斜視図である。
【図９】第２実施例において、プレートの使用例を示す説明図である。
【符号の説明】
【００１８】
２，30                    ロッカー本体
８，９，31                前面パネル
11                        切欠き
20，22                    プレート  
【図１】
2007252472.tif 000003
【図２】
2007252472.tif 000004
【図３】
2007252472.tif 000005
【図４】
2007252472.tif 000006
【図５】
2007252472.tif 000007
【図６】
2007252472.tif 000008
【図７】
2007252472.tif 000009
【図８】
2007252472.tif 000010
【図９】
2007252472.tif 000011